(57)【要約】【課題】気候や経年変化等によるボディとネックの接合部のセンターズレを防止する結合強度を備え、且つ音質等を改善する構造と、ボディとネックの接合部の連続した形状が、高音域の演奏性を向上させて外観上の美観も備えたネック取付け構造のソリッド型電気ギターを提供することを目的とする。【解決手段】ボディ本体１にネック本体３が連結ネジ４８で接合されるソリッド型電気ギターであって、ボディ本体１のネック差込み溝２３が山形状連結溝２４と谷形状連結溝２５の凹凸溝を有し、また、ネック本体３のネック接合部４３が谷形状連結部４１と山形状連結部４２の凹凸部を有し、ネック差込み溝２３にネック接合部４３を接合する際、ネック差込み溝２３の凹凸溝とネック接合部４３の凹凸部とが嵌合され、且つネック裏面４０とボディ裏面５３の傾斜面５４が、連続した曲面を形成することを特徴とするソリッド型電気ギター。【選択図】図４
2011150180.tif 000002
【特許請求の範囲】
【請求項１】
ボディ本体１にネック本体３の一端が複数の連結ネジ４８で着脱可能に接合される構造を有するソリッド型電気ギターであって、
前記ボディ本体１のネック差込み溝２３が山形状連結溝２４と谷形状連結溝２５から成る凹凸溝を有し、
また、前記ネック本体３のネック接合部４３には、谷形状連結部４１と一部分が板状になった山形状連結部４２から成る凹凸部を有し、
前記ボディ本体１のネック差込み溝２３に前記ネック本体３のネック接合部４３を接合する際、前記ネック差込み溝２３に形成された前記凹凸溝と前記ネック接合部４３に形成された前記凹凸部が合致することで嵌合され、且つ前記ネック本体３のネック裏面４０と連接される前記ボディ本体１のボディ裏面５３を構成する傾斜面５４との形状が、連続した曲面を形成することを特徴とするソリッド型電気ギター。
【請求項２】
前記ネック差込み溝２３の前記谷形状連結溝２５の底面には前記複数の連結ネジ４８に対応した複数の所定の深さを有する穿孔２８を有し、前記山形状連結部４２の一部分が板状となった表面には前記複数の連結ネジ４８に対応した複数のネジ穴３８を有し、前記ネック差込み溝２３に前記ネック接合部４３を嵌合して前記連結ネジ４８で前記山形状連結部４２の前記ネジ穴３８を介して前記谷形状連結溝２５の穿孔２８に接合する際、
前記谷形状連結溝２５の穿孔２８には、前記連結ネジ４８と結合するための埋込みナット２９を具備することを特徴とする請求項１記載のソリッド型電気ギター。
【請求項３】
前記ネック差込み溝２３に前記ネック接合部４３を嵌合した際、前記ボディ本体１の表面２の高さと一致するように前記山形状連結部４２のネックエンド中段面５１に、ネック差込み溝２３に合致するように形成した木片３５を接合することを特徴とする請求項１または請求項２記載のソリッド型電気ギター。
【請求項４】
前記ネック差込み溝２３に前記ネック接合部４３を嵌合した際、ネック差込み溝２３がピックアップ装置１５を取付けるためのフロントピックアップ形状１６の凹溝部４６を形成することを特徴とする請求項１乃至３いずれか１項に記載のソリッド型電気ギター。
【請求項５】
前記ボディ本体１の構成がトップ材１−Ａとバック材１−Ｂの多層構造で形成され、
前記トップ材１−Ａと前記バック材１−Ｂには前記ネック差込み溝２３の前記山形状連結溝２４と前記谷形状連結溝２５から成る凹凸溝を有し、
更に前記トップ材１−Ａには、前記ネック差込み溝２３に前記ネック接合部４３を嵌合した際、前記ネック本体３の指板５とフロントピックアップ形状１６の凹溝部４６との間にブリッジ６０が形成されることを特徴とする請求項１乃至４のいずれか１項に記載のソリッド型電気ギター。
【請求項６】
前記ボディ本体１の裏面を構成する傾斜面５４には、前記ボディ本体１と前記ネック本体３とを接合するための複数の連結ネジ５８に対応した複数のネジ穴５６を更に有し、
ネック差込み溝２３にネック接合部４３を嵌合した際、前記ネジ穴５６を介して前記連結ネジ５８が前記ネック接合部４３と前記ボディ本体１とを接合することを特徴とする請求項１乃至５いずれか１項に記載のソリッド型電気ギター。
【発明の詳細な説明】
【技術分野】
【０００１】
本発明は、エレクトロリックギターなどの弦楽器のネック取付け構造において、最適な結合強度を備えたネック取付け構造を有するソリッド型電気ギターに関する。
【背景技術】
【０００２】
一般的なソリッド型電気ギターの構造には、大別すると、スルーネックギター構造、セットネックギター構造、デタッチャブルギター構造（ボルト・オン・ジョイント構造とも云う。）の３種類がある。スルーネックギター構造は、ボディの芯材となる角材から先にネック部分を削り出してから、ボディ材となる部分を芯材の両サイド部分に接着し、その後でボディ材を削り出して作成される一体構造からなる。セットネックギター構造は、ネック材とボディ材とを別々に形成してネック本体をボディ本体に取付ける時に接着剤を使用して接着することによって、ネック本体をボディ本体に接合した一体構造からなる。それに対してデタッチャブルギター構造は、ボディ材とネック材とをそれぞれ別の工程で製造した後に、それらを連結ネジ等で一体化する方法が使用されているため、分解が可能な構造と成っている。
【０００３】
図１８はデタッチャブルギター構造を具備する従来のソリッド型電気ギターの構成図である。図に示すように、ボディ本体２０１は通常一枚の木材によって加工形成されたもので、ボディ本体２０１には、ネック本体２０２が接合され、弦２０３の振動を電気信号に変換するピックアップ装置２１５、そのピックアップ装置２１５の音質、音色等を変換するピックアップセレクタースイッチ２１１と音量、音質等を調整する各種調整ツマミ２１０、ブリッジベース２１７等が取付けられ、所定の電気回路に基づいて配線されている。ネック本体２０２の表面には指板２０４が接着剤で貼られ、その指板２０４の溝にはフレット２０５が打ち込まれている。フレット２０５の上面には弦２０３が張られており、この弦２０３は通常６本（ギターの機種によって本数が異なる。）からなり一端が糸巻装置２０６に巻き付けられて係止され、他端がトレモロ機構２１６を有するブリッジベース２１７に係止されている。これらの部材によってソリッド型電気ギター２００が構成されている。
【０００４】
図１８（ａ）に示す従来のソリッド型電気ギター２００のデタッチャブルギター構造による一体化の構成は、図１８（ｂ）に示すようにボディ本体２０１の表面２０１−Ａにネック差込み溝２２４を形成し、このネック差込み溝２２４の上面からネックヒール部２２８を嵌合し、ボディ裏面２２６側からネックプレート２２２を介して所定数の連結ネジ２２３によって固定している。図１８（ｃ）は従来のソリッド型電気ギター２００のネック取付け構造を示す断面図である。
【０００５】
しかし、デタッチャブルギター構造の利点でもあり、不具合の原因ともなる分解可能なネック取付け構造において、連結ネジ２２３で固定されているその結合強度が重要となっている。ボディ本体２０１とネック本体２０２とを別々の工程で製造するため、ボディ本体２０１にネックヒール部２２８を嵌合する際のセンター合わせ工程の中で一番重要となる中心線がセンターラインである。しかし、その中心線が気候の影響、経年変化等により木材で形成されたネック本体２０２とボディ本体２０１との接続部のセンターラインにずれが生じた場合、特にギター用語では、センターズレと表記される。
【０００６】
このセンターズレが発生すると、ボディ本体２０１のブリッジベース２１７からネックヘッド２０７の糸巻装置２０６にかけて張られた弦２０３が不均等な状態になる為に、接合部を中心にネック本体２０２が左右いずれかに動いてしまうこともあって、弦２０３の位置が全体に１弦側、或いは６弦側のいずれか一方に寄ってしまい、弾いた時に弦２０３がフレット２０５から滑り落ちてしまう現象が知られている。
【０００７】
そのため、ボディ本体２０１とネック本体２０２との結合強度を高めると共にすっきりした外観を備え、且つ音量、音質等を改善したギターのネック取付け構造が開示されている（例えば特許文献１を参照）。
【０００８】
また、ボディ本体２０１とネック本体２０２との連結部分の見栄えの向上と、簡単で且つ結合強度を確保しながら簡単に連結可能な弦楽器におけるネック連結構造が開示されている（例えば特許文献２を参照）。
【０００９】
また、ボディ本体とネック本体との連結構造については、市販の文献にソリッド型電気ギターの製作における様々なネック連結構造が紹介されている（例えば、非特許文献１、非特許文献２を参照）。
【先行技術文献】
【特許文献】
【００１０】
【特許文献１】特開２００２−２５８８６５号公報
【特許文献２】特開平８−１２３４０４号公報
【非特許文献】
【００１１】
【非特許文献１】「エレクトロリック・ギター・メカニズム完全版  Ｖｏｌ．８２」、株式会社リットーミュージック、１６〜１７ページ・７６〜８５ページ・１１０〜１１２ページ
【非特許文献２】Ｍｅｌｖｙｎ  Ｈｉｓｃｏｃｋ筆、「Ｍａｋｅ  ｙｏｕｒ  Ｏｗｎ  Ｅｌｅｃｔｒｉｃ  ｇｕｉｔａｒ  Ｓｅｃｏｎｄ  Ｅｄｉｔｉｏｎ」、２１〜２３ページ・１０１〜１０３ページ・１２４〜１３０
【発明の概要】
【発明が解決しようとする課題】
【００１２】
しかし、上述した従来のソリッド型電気ギター２００のデタッチャブルギター構造におけるネック取付け方法では、結合強度を確保するために、図１８（ｂ）に示すようにボディ本体２０１のネック接合部２２７をネック差込み溝２２４、前端部２２５、ボディ裏面２２６とで構成し、ネック差込み溝２２４にネックヒール部２２８を嵌合してボディ裏面２２６の上面からネックプレート２２２を介して所定数の連結ネジ２２３をねじ込んで固定している。その結果、ボディ裏面２２６に露出した金属製のネックプレート２２２により、ギターの美観を損ね、且つ音質にも影響を与えてしまう問題があった。
【００１３】
また、前述したスルーネックギター構造やセットネックギター構造では、ボディ材とネック材が一体化された後の木工工程の中でセンターラインが確立されているが、デタッチャブルギター構造ではネック差込み溝２２４にネックヒール部２２８が隙間無く嵌合するように形成される構造のため、木材の微妙な硬さの違いやネック研磨工程の加工技量の良し悪しで嵌合部に隙間が生ずることがあり、またギターに対する物理的衝撃、或いはボディやネックが木材製であることから生じる気候の影響と経年変化等により、ネック差込み溝２２４とネックヒール部２２８との間の隙間が変化してセンターズレが生じることが多々あり、修正するためのメンテナンスが必要となるという問題があった。
【００１４】
ネック本体２０２の構造が、図１８（ｃ）に示すネック背面２２１の傾斜面２２１−Ａのようにネックヒール部２２８方面からネックヘッド２０７に向かってテーパー状に細くなっているので十分な結合強度を確保する必要上、ネックヒール部２２８の板厚と幅とを大きく形成することが要求される。またボディ本体２０１のネック接合部２２７とネックヒール部２２８の結合強度を高める必要上、ボディ本体２０１の前端部２２５を長く形成すると共にネックヒール部２２８の長さを前端部２２５と同一の長さに形成することから、ボディ本体２０１に近い高音域のフレットの弦２０３を指で押さえて演奏を行う場合、ネックヒール部２２８付近を把持している手の親指が、演奏中に前端部２２５に当たり移動が制限されることで弦２０３を正確に押さえることができない。同様に高音域の演奏時において手首を返して高音域の弦２０３を押えようとすると、手の甲がカッタウェイ２０８に当たることで、より弦楽器が弾き難くなるという問題もあった。
【００１５】
演奏時、弦２０３を弾いた弦振動がトレモロ機構２１６に伝達されるが、その弦振動はボディ本体２０１を介してネック本体２０２にも伝達される。しかしネック差込み溝２２４とネックヒール部２２８との接合面同士の面積は狭く、これらを嵌合しボディ裏面２２６の上面から振動特性の異なる金属製のネックプレート２２２を介し所定数の連結ネジ２２３によって固定しているため、金属製のネックプレート２２２の影響でボディ本体２０１とネック本体２０２との間の共振が減衰されて伝達ロスが生じ、良好な音量、音質が得られないという問題があった。
【００１６】
本発明は以上の問題点に鑑みて成されたもので、気候の影響や経年変化等によるボディとネック接合部の緩みによるセンターズレを防止するに十分な結合強度を備え、更にボディ本体とネック本体の共振特性を向上させることで弦振動や音質等が改善されるネック取付け構造を実現し、ボディ本体とネック本体の接続形状が連続した形状を有することで高音域での演奏性を向上させ、且つ外観上の美観も兼備えたネック取付け構造を持つソリッド型電気ギターを提供することを目的とする。
【課題を解決するための手段】
【００１７】
本発明は、上述の目的を達成するため、以下（１）〜（６）の構成を備えるものである。
【００１８】
（１）ボディ本体１にネック本体３の一端が複数の連結ネジ４８で着脱可能に接合される構造を有するソリッド型電気ギターであって、前記ボディ本体１のネック差込み溝２３が山形状連結溝２４と谷形状連結溝２５から成る凹凸溝を有し、また、前記ネック本体３のネック接合部４３には、谷形状連結部４１と一部分が板状になった山形状連結部４２から成る凹凸部を有し、前記ボディ本体１のネック差込み溝２３に前記ネック本体３のネック接合部４３を接合する際、前記ネック差込み溝２３に形成された前記凹凸溝と前記ネック接合部４３に形成された前記凹凸部が合致することで嵌合され、且つ前記ネック本体３のネック裏面４０と連接される前記ボディ本体１のボディ裏面５３を構成する傾斜面５４との形状が、連続した曲面を形成することを特徴とするソリッド型電気ギター。
【００１９】
（２）前記ネック差込み溝２３の前記谷形状連結溝２５の底面には前記複数の連結ネジ４８に対応した複数の所定の深さを有する穿孔２８を有し、前記山形状連結部４２の一部分が板状となった表面には前記複数の連結ネジ４８に対応した複数のネジ穴３８を有し、前記ネック差込み溝２３に前記ネック接合部４３を嵌合して前記連結ネジ４８で前記山形状連結部４２の前記ネジ穴３８を介して前記谷形状連結溝２５の穿孔２８に接合する際、前記谷形状連結溝２５の穿孔２８には、前記連結ネジ４８と結合するための埋込みナット２９を具備することを特徴とする前記（１）記載のソリッド型電気ギター。
【００２０】
（３）前記ネック差込み溝２３に前記ネック接合部４３を嵌合した際、前記ボディ本体１の表面２の高さと一致するように前記山形状連結部４２のネックエンド中段面５１に、ネック差込み溝２３に合致するように形成した木片３５を接合することを特徴とする前記（１）または（２）記載のソリッド型電気ギター。
【００２１】
（４）前記ネック差込み溝２３に前記ネック接合部４３を嵌合した際、ネック差込み溝２３がピックアップ装置１５を取付けるためのフロントピックアップ形状１６の凹溝部４６を形成することを特徴とする前記（１）乃至（３）いずれか１項に記載のソリッド型電気ギター。
【００２２】
（５）前記ボディ本体１の構成がトップ材１−Ａとバック材１−Ｂの多層構造で形成され、前記トップ材１−Ａと前記バック材１−Ｂには前記ネック差込み溝２３の前記山形状連結溝２４と前記谷形状連結溝２５から成る凹凸溝を有し、更に前記トップ材１−Ａには、前記ネック差込み溝２３に前記ネック接合部４３を嵌合した際、前記ネック本体３の指板５とフロントピックアップ形状１６の凹溝部４６との間にブリッジ６０が形成されることを特徴とする前記（１）乃至（４）のいずれか１項に記載のソリッド型電気ギター。
【００２３】
（６）前記ボディ本体１の裏面を構成する傾斜面５４には、前記ボディ本体１と前記ネック本体３とを接合するための複数の連結ネジ５８に対応した複数のネジ穴５６を更に有し、ネック差込み溝２３にネック接合部４３を嵌合した際、前記ネジ穴５６を介して前記連結ネジ５８が前記ネック接合部４３と前記ボディ本体１とを接合することを特徴とする前記（１）乃至（５）いずれか１項に記載のソリッド型電気ギター。
【発明の効果】
【００２４】
気候の影響や経年変化等によるネック本体とボディ本体との接合部に生じる緩みなどによって発生するセンターズレを防止して、ネック接合部をボディ本体のネック差込み溝に嵌合した後のメンテナンスが不要であり、且つボディ本体のネック差込み溝の底面に形成した山形状連結溝と谷形状連結溝とが合致するようなネック接合部の形状を形成し嵌合することで、必要最少限の所定数のネジ穴から連結ネジで固定しても十分な結合強度を実現し、ネック本体とボディ本体とを確実に一体化することができる。
【００２５】
仮に連結ネジが緩んだ場合でも、締め直し作業が簡単にできるネック取付け構造を具備するソリッド型電気ギターを提供することができる。
【００２６】
ボディ本体のネック差込み溝裏面の構造は、傾斜面に止まらず様々な形状に加工することも可能であり、隙間無く嵌合されることで共振特性が向上し、弦振動や音質等を改善することができる。
【００２７】
また、ボディ本体とネック本体の裏面の接続形状が連続した形状を有することで、手の動きが制限されることなく移動可能となり、ネックヒール付近を把持している指で高音域の弦を押さえることができるため、高音域でのスムーズな演奏が可能になり、且つ外観上の美観も兼備えたネック取付け構造を持つソリッド型電気ギターを提供することができる。
【図面の簡単な説明】
【００２８】
【図１】実施例に係るソリッド型電気ギターの外観図
【図２】実施例１に係るソリッド型電気ギターのネック差込み溝周辺の構成図
【図３】実施例１に係るソリッド型電気ギターのネック接合部周辺の構成図
【図４】実施例１に係るソリッド型電気ギターのネック差込み溝とネック接合部との嵌合図
【図５】ネックエンド中段面に接着される木片の取付け方法を示す図
【図６】フロントピックアップと取付け凹溝部の嵌合部の状態を示す図
【図７】フロントピックアップ形状の凹溝部にピックアップ装置の取付け方法を示す図
【図８】実施例１に係るソリッド型電気ギターのボディ本体の背面の形状図
【図９】ネック裏面のネック接合方法を示す図、及び断面図
【図１０】実施例２に係るソリッド型電気ギターのネック差込み溝周辺の構成図
【図１１】ネック本体のネック接合部とボディ本体のネック差込み溝との嵌合図
【図１２】ブリッジ下面の隙間を木片で塞ぐ構成を示す図
【図１３】ネック取付け構造の埋込みナットを使用しない構成を示す図
【図１４】ネック接合部の形状を矩形状に形成されたネック取付け構造を示す図
【図１５】連結ネジを必要としないネック取付け構造を示す図
【図１６】ネック取付け構造の連結用のネジ穴が貫通した構成を示す断面図
【図１７】ネック取付け構造の貫通したネジ穴に埋込みナットと連結ネジを併用した構成を示す断面図
【図１８】従来のソリッド型電気ギターの構成図
【発明を実施するための形態】
【００２９】
以下に、本発明を実施するための形態を、実施例により詳しく説明する。
【実施例１】
【００３０】
本発明の実施の形態を図面に基づいて説明する。図１は本実施例に係るソリッド型電気ギター外観図で、図２はボディ本体のネック差込み溝の形状図であり、図３はネック本体のネックヒールのネック接合部の形状図である。
【００３１】
図１中のソリッド型電気ギター２２には、木材から別々に成形されたボディ本体１とネック本体３が着脱可能に接合され、ボディ本体１の表面２には、フロントピックアップ形状１６、リアピックアップ形状１７の凹溝部４６を備え、この凹溝部４６の中にフロントピックアップ１３、リアピックアップ１４から成るピックアップ装置１５が固定され、ピックアップセレクタースイッチ１２やトレモロ機構１８を備えたブリッジプレート１９と、上述した電気部品とボディ本体１の内部に組み込まれた所定の電気回路に基づいて配線されたアンプ出力ポート２１が取付けられている。ネック本体３には、ナット部９及びヘッド部７に糸巻装置８が固定され、ボディ本体１のブリッジプレート１９方向からネック本体３のヘッド部７の糸巻装置８方向に向けて６本の弦４を張り係止することでソリッド型電気ギター２２が構成されている。
【００３２】
また、本発明を用いて製作されたソリッド型電気ギター２２の外形に関しては、Ｖ型形状や瓢箪形状等の多種多様の異なる外形を有したボディ本体１とネック本体３のヘッド部７の作成が可能であり、さらに本発明の構造を用いて、エレクトロリックベースギター、エレクトロリックシタールギター等の多種多様の異なる機種のギター製作ができるため、弦４の本数、ピックアップ装置１５、ピックアップ形状、ネック差込み溝２３の形状、ネック本体３、ナット部９、糸巻装置８、ヘッド部７の形状に関しては、ボディ本体１に取付けられたブリッジプレート１９に応じた形状で製作するため、本発明を限定するものではない。
【００３３】
図２（ａ）正面図に示すボディ本体１のネック取付け構造は、木材から削り出したボディ本体１の表面２に、傾斜面前端部３０からボディ中央部の方向（図２（ａ）の右方向）に向けて谷形状連結溝２５の下端部３２までネック差込み溝２３を形成し、このネック差込み溝２３の底面には山形状連結溝２４と谷形状連結溝２５とをそれぞれ成形されている。谷形状連結溝２５の底面には、図２（ｂ）の斜視図に示すようにボディ厚さ方向の途中の深度位置まで開けた複数の穿孔２８に、上部から鬼目ナット等の埋込みナット２９を所定の深度位置まで埋込んで固着されている。穿孔２８の深さは、ボディ裏面５３には貫通していない。また埋込みナット２９の製品には、ねじ込むタイプや打ち込むタイプ等、様々な異なる種類の埋込みナット２９が知られているが、市販されている全ての形状に対応した埋込みナット２９の金具に関しては、本発明のソリッド型電気ギター２２を作成する木材或いは合成樹脂等に適合可能なため、本発明を限定するものではない。
【００３４】
図３（ａ）に示す木材を削り出したネック本体３の一端のネックヒール部に形成されたネック接合部４３には、図３（ｂ）、（ｃ）に示すようにボディ本体１のネック差込み溝２３の底面に形成された山形状連結溝２４及び谷形状連結溝２５の凹凸溝と、それぞれ合致するように谷形状連結部４１と上面の一部分が板状になった山形状連結部４２の凹凸部が形成されている。山形状連結部４２には、上面の板状面４２−Ａと裏面４２−Ｂ、ネックエンド５０を形成する際に削り取られたネックエンド中段面５１とが形成されている。
【００３５】
図４はボディ本体１のネック差込み溝２３にネック本体３のネック接合部４３を嵌合させる方法を示す図である。図４（ａ）に示すボディ本体１のネック差込み溝２３の上面からネック接合部４３を嵌合することで、図４（ｂ）、（ｃ）に示すように夫々の接合面に形成された凹凸形状が隙間無く嵌合される。
【００３６】
図５（ａ）に示すボディ本体１のネック差込み溝２３の上面からネック本体３のネック接合部４３を嵌合すると、ボディ本体１のネック差込み溝２３及びネック本体３のネックエンド５０を形成する際に削り取られたネックエンド中段面５１と指板５との間に小さな隙間が発生する。図５（ｂ）は、この隙間を埋めるようネック差込み溝２３のサイド面３３、３４に合致する形状に形成した木片３５をネックエンド中段面５１に接着剤で貼り付けボディ本体１のネック差込み溝２３にネック本体３のネック接合部４３を嵌合する。図５（ｃ）に示すように木片３５を接着することで、ボディ本体１のネック差込み溝２３のサイド面３３、３４と木片３５の側面３６、３７が夫々隙間なく接触し、ボディ本体１の表面２との段差が解消され、木片３５の表面の高さがボディ本体１の表面２と同一の高さを有することになる。
【００３７】
また、ボディ本体１のネック差込み溝２３にネック接合部４３を嵌合した際、ネック研磨工程や、ボディ本体１の溝加工で削り取られた箇所との間に生ずる小さな隙間や、ネックエンド中段面５１に接着剤で貼り付けた木片３５の上面については、嵌合線５９や木片３５等を隠す目隠し用部材である金属製、或いはプラスチック等の化粧板プレート５２で覆い隠すため目に付くことはない。
【００３８】
尚、ネックエンド中段面５１に接着剤で貼り付ける木片３５の板厚、横幅、長さ、形状、材質及びネックエンド中段面５１の板厚、横幅、長さ、形状に関しては作成するソリッド型電気ギター２２のサイズにより異なるため、本発明を限定するものではない。
【００３９】
図６（ａ）に示すフロントピックアップ形状１６の凹溝部４６には、ネック接合部４３の山形状連結部４２の上面である板状面４２−Ａに開けられた所定数のネジ穴３８の上部から座金４７を介して連結ネジ４８を埋込みナット２９方向にねじ込んで、ネック接合部４３が固定されている。この固定によりボディ本体１とネック本体３とのセンターライン４９が確立され、また夫々の凹凸溝との接合部が隙間無く接合されることで強力な嵌合摩擦力を得られ接合強度が高くなるため、ネック接合部４３が弦張力によりネック差込み溝２３から抜けることなく、且つ弦振動の伝達ロスが少なくなることで音の持続が長くなり、音量、音質等を向上させる。
【００４０】
尚、一部分が板状になった山形状連結部４２の板状面４２−Ａに開けられた所定数のネジ穴３８の位置決め、及びネジ穴３８に対応する谷形状連結溝２５のボディ厚さ方向の所定深度まで開けた穿孔２８に固定された所定数の埋込みナット２９の位置決めにおいて、埋込みナット２９のねじ込み深度に関しては、ソリッド型電気ギター２２を作成する木材或いは合成樹脂等の素材により異なるため本発明を限定するものではない。また埋込みナット２９と座金４７及び連結ネジ４８の内径、外径、形状、数量に関しても、同様に本発明を限定するものではない。
【００４１】
また、ボディ本体１のネック差込み溝２３の上面からネック本体３のネック接合部４３を嵌合した際には、ネック接合部４３の山形状連結部４２の上面の板状面４２−Ａに穿孔したネジ穴３８の位置と重なるように対応した、ネック差込み溝２３の谷形状連結溝２５のボディ厚さ方向に開けた穿孔２８及び穿孔２８の上面から埋込んだ埋込みナット２９の作成位置、穿孔位置、穿孔数、埋込みナット２９の位置及び埋込む本数に関しては、形状の種類が異なるピックアップ装置１５に応じたフロントピックアップ形状１６の凹溝部４６を形成することになるため、本発明を限定するものではない。同様にネック接合部４３の山形状連結部４２の板状面４２−Ａに穿孔したネジ穴３８の上面から所定数の座金４７を介して所定数の連結ネジ４８を埋込みナット２９方向にねじ込む本数、位置、に関しても限定はない。
【００４２】
図６（ａ）に示すネック差込み溝２３には両側壁を耳形に削り取って図６（ｂ）に示すフロントピックアップ１３を嵌合するためのフロントピックアップ形状１６の凹溝部４６が形成されており、図６（ｃ）に示すフロントピックアップ１３を挿入し固定することで、ネック接合部４３の山形状連結部４２の上面の板状面４２−Ａにねじ込まれた連結ネジ４８の頭部を隠す目隠し用部材ともなる。
【００４３】
尚、フロントピックアップ１３及びリアピックアップ１４が嵌合するフロントピックアップ形状１６とリアピックアップ形状１７の凹溝部４６のそれぞれの長さ、横幅、深度、位置、形状については、使用するピックアップ装置１５が一連装型或いは本実施例で示した二連装型ピックアップなど種類が豊富で、またピックアップ装置１５の形状により異なるため、本発明を限定するものではない。
【００４４】
ボディ本体１の表面２に形成したピックアップ形状の凹溝部４６にピックアップ装置１５を取付ける方法には主に３種類あり、図７にてその取付ける方法を解説する。
【００４５】
図７（ａ）に示すように、形成したピックアップ形状の凹溝部４６にピックアップ装置１５を嵌合し、ピックアップ装置１５本体の所定位置に開けられた所定数のネジ穴の上面から所定数のネジを使用して凹溝部４６内に直接取付ける方法がある。
【００４６】
図７（ｂ）に示すように、エスカッション３９と呼ばれるプラスチック、木材、金属等で形成された一連装型ピックアップ、二連装型ピックアップ等よりも少し大きめに形成された長方形や面長のＶ型形状等の板状の内側部分には、ピックアップ装置１５を嵌合する溝穴が成形する。この形成した溝穴にピックアップ装置１５を嵌合し、エスカッション３９本体の所定位置に開けられたネジ穴の上面から所定数のネジをピックアップ装置１５方向にねじ込んで、ピックアップ装置１５をエスカッション３９本体に直接取付ける。その後、ボディ本体１の表面２に成形したピックアップ形状の凹溝部４６の上面からエスカッション３９本体に取付けたピックアップ装置１５をピックアップ形状の凹溝部４６に嵌合する際には、エスカッション３９本体は自動的にボディ本体１の表面２に置いた状態になるため、ボディ本体１の表面２の上部に置いたエスカッション３９本体の所定位置に開けられたネジ穴の上面から所定数のネジでボディ本体１の表面２にエスカッション３９本体を直接取付ける方法がある。
【００４７】
図７（ｃ）に示すように、金属製、或いはプラスチック等を加工、成形した化粧板プレート５２の内側部分には、ボディ本体１の表面２に形成されたピックアップ形状の凹溝部４６の位置と重なるように形成した溝穴にピックアップ装置１５を嵌合して、化粧板プレート５２の表面の所定位置に開けられた上面から所定数のネジをピックアップ装置１５方向にねじ込んでピックアップ装置１５を化粧板プレート５２本体に直接取付ける。さらに化粧板プレート５２の裏面には所定位置に決められた各種電気配線の取付け等をした後、化粧板プレート５２をボディ本体１の表面２に直接ネジで取付ける方法がある。取付けられた化粧板プレート５２は、美観を損なう嵌合線５９や木片３５等を隠す機能も有する。
【００４８】
以上の３種類が主に一般的には知られているが、ギターの設計方法やピックアップ装置１５の形状や種類等によっては実施例以外の取付け方法も可能であり本発明を限定するものではない。
【００４９】
また、本発明の構造を用いてピックアップ形状の凹溝部４６を製作する際には、ボディ本体１の表面２には、凹溝部４６を具備したフロントピックアップ形状１６及びリアピックアップ形状１７との中間距離の位置には、ピックアップ装置１５を兼備した様々な形状の異なるピックアップ形状の凹溝部４６を加工、成形ができるため本発明を限定するものではない。
【００５０】
さらに、ボディ本体１の表面２に設置できるピックアップ形状の凹溝部４６の作成位置、成形位置、長さ、横幅、深度、位置、形状については、使用するピックアップ装置１５が一連装型ピックアップ或いは本実施例で示した二連装型ピックアップなど種類が豊富で、形状により異なるため、本発明を限定するものではない。
【００５１】
図８は、ボディ本体１の背面の形状を示す図である。図８（ａ）に示すボディ本体１の背面の形状は、演奏時に高音域のフレット６までスムーズに手全体が入るように、ネック差込み溝２３裏の傾斜面５４の形状が、ボディ裏面５３と連なる傾斜面５４−ａ方向からカッタウェイ１０の裏面の傾斜面５５に連なる傾斜面５４−ｂ方向に向けて、丸く曲線状に下り傾斜面５４を形成する曲面で構成されている。
【００５２】
その際、図８（ｂ）のＡ方向からの斜視図に示すボディ本体１の傾斜面５４の傾斜面前端部３０の板厚は強度を確保した上で極力薄く形成され、また傾斜面前端部３０の板厚、幅に対応した形状が、ネック接合部４３の谷形状連結部４１の凹溝部の深さと幅として形成されている。その結果、図８（ｃ）のＢ方向からの斜視図に示す円で囲まれたＣ領域が、ネック本体３のネック裏面４０の曲線形状が連続するようにボディ本体１のネック差込み溝２３裏の傾斜面５４が連接され、またカッタウェイ１０の外形の形状がある場合には、カッタウェイ１０の裏側の傾斜面５５の形状は傾斜面５４から連なるように丸く、且つ手の甲が当たらないように形成されている。
【００５３】
ボディ本体１の傾斜面５４とネック本体３のネック裏面４０の接続形状が連続した曲線から成る形状を有することで、手の動きが制限されることなく移動可能となり、ネックヒール付近を把持している指で無理なく高音域の弦４を押さえることができるため高音域でのスムーズな演奏が可能になり、且つ外観上の美観も兼備えたネック取付け構造を持つギターを提供することができる。
【００５４】
図９は、張られた弦張力によりボディ本体１のネック差込み溝２３からネック本体３のネック接合部４３の谷形状連結部４１のネック接合先端部分が浮き上がるのを防止するためのネック取付け構造を示す図である。図９（ａ）の断面図で示すように、ボディ本体１のネック差込み溝２３の底面には連結穴２６、２７が穿孔されて、ボディ裏面５３の傾斜面５４に形成されたネジ穴５６とつながっている。ネック接合部４３には谷形状連結部４１のネジ穴４４と山形状連結部４２のネジ穴４５がネック厚さ方向に所定の深度位置まで開けられている。図９（ｂ）に示すボディ裏面５３の傾斜面５４に形成した所定数のネジ穴５６に、上面から所定数のワッシャー５７を介して所定数の連結ネジ５８をボディ厚さ方向にねじ込んで、図９（ｃ）の断面図に示すようにネック本体３をボディ本体１に固定される。
【００５５】
その結果、板厚が薄い傾斜面５４の傾斜面前端部３０周辺に掛かる弦張力による負荷が、ネック差込み溝２３全体に分散される。ネック差込み溝２３の谷形状連結溝２５及びネック接合部４３の山形状連結部４２の長さを下端部３２まで延長したため、ネック差込み溝２３とネック接合部４３を嵌合することで、所定数の弦４を張った時の弦張力の負荷が拡散され、傾斜面前端部３０周辺のひび割れや欠け等が防止できるだけでなく強度上の制約がなくなり、傾斜面５４の形状を本実施例で示した丸い曲線形状に止まらず、直線的なシャープな形状等の様々な形状に加工することが可能となる。
【００５６】
尚、傾斜面５４に形成した所定数のネジ穴５６の位置決め、深度、径状及び所定数のワッシャー５７と所定数の連結ネジ５８の数量、ネジ径、材質、ネジの形状に関して、本発明を限定するものではない。
【００５７】
デタッチャブルギター構造のボディ本体１とネック本体３は別々に加工、成形、塗装等を施した後、ネック本体３にナット部９とヘッド部７に糸巻装置８をそれぞれ取付け、ボディ本体１には、フロントピックアップ形状１６とリアピックアップ形状１７のそれぞれに嵌合するピックアップ装置１５とピックアップセレクタースイッチ１２及びアンプ出力ポート２１等の電気部品を取付けた後、配線材と半田を使用して各電気部品の端子を所定の電気回路に基づき配線される。
【００５８】
その後でボディ本体１にトレモロ機構１８の機能を備えたブリッジプレート１９を取付け、このブリッジプレート１９からヘッド部７の糸巻装置８にかけて弦４を係止した後、各種調整、音出し後、ソリッド型電気ギター２２が完成となる。
【００５９】
また、トレモロ機構１８の機能を持っていないブリッジプレート１９を取付けることも可能で、さらにブリッジプレート１９の形状と機能及び電気部品に関して、多くの市販された製品から選択し組み込むことが可能であり本発明を限定するものではない。
【００６０】
また、本発明を用いてソリッド型電気ギター２２を製作する場合、ネック本体３の上面に接着剤で貼られている指板５の上面に取付けられているナット部９には、牛骨ナットやカーボンナット等、様々な異なる多種多様の製品から選択することが可能であり、ナット部９を取付ける箇所の指板５の加工、形成、及び指板５に取付けたナット部９の加工、形成に関しては選択した製品により異なるため本発明を限定するものではない。
【００６１】
以上、本実施例に係るソリッド型電気ギターの構成により、ボディ本体のネック差込み溝に形成した山形状連結溝と谷形状連結溝と合致するようなネック接合部の形状を形成し嵌合することで、必要最少限に定めた所定数のネジ穴から所定数の連結ネジで固定しても十分な結合強度を実現し、ネック本体とボディ本体とを確実に一体化することができる。
【００６２】
また、ボディ本体のネック差込み溝裏面の凹凸溝の形状は、様々な形状に加工することが可能であり、正確な嵌め合い構造により隙間無く嵌合されることで共振特性が向上し、弦振動、音質等も改善することが可能なソリッド型電気ギターを提供することができる。
【００６３】
尚、本実施例のソリッド型電気ギターの材質の説明を木材で行ったが、現在ソリッド型電気ギターの材質には、木材、圧縮材、合成樹脂、カーボン、アルミなどの金属、セラミック等の素材で作成されているため、材質を木材に限定するものではない。
【実施例２】
【００６４】
ボディ本体１のネック差込み溝２３に木片３５を接合したネック本体３を嵌合した際、図５（ｃ）に示す嵌合線５９が形成される。フロントピックアップ形状１６と指板５との間にボディ本体１の表面２と同一の高さにするため、木片３５を接合した時にできる二本の嵌合線５９がクッキリ出ることで見栄えが好くない印象を与えることがある。
【００６５】
そのため本実施例では、ボディ本体１の構成をトップ材１−Ａとバック材１−Ｂの二層構造で形成し、フロントピックアップ形状１６と指板５との間のボディ本体１の表面２を、ブリッジ６０を設けることで二本の嵌合線５９を無くしたネック取付け構造を有するソリッド型電気ギター２２について説明する。
【００６６】
図１０はボディ本体１のネック差込み溝２３の構成図である。図１０（ａ）に示すように、ボディ本体１のバック材１−Ｂの表面にネック差込み溝２３を形成し、ネック差込み溝２３の底面には山形状連結溝２４と谷形状連結溝２５を形成する。更にバック材１−Ｂの上面にトップ材１−Ａを接着剤で貼り付け固定した後、ボディ本体１の外周及びトップ材１−Ａの上面からネック差込み溝２３を削出し、バック材１−Ｂに形成したネック差込み溝２３の底面に形成した山形状連結溝２４と谷形状連結溝２５に沿って加工、形成した後、フロントピックアップ形状１６の加工、形成をする。この時、トップ材１−Ａのフロントピックアップ形状１６と指板５との間の溝の上部を塞ぐ所定の板厚と幅を有するブリッジ６０を形成する。
【００６７】
図１０（ｂ）に示すボディ本体１の谷形状連結溝２５の底面に、ボディ厚さ方向途中深度位置まで開けた所定数の穿孔２８の上部から所定数の埋込みナット２９を埋込んで固着する。ネック本体３のネック接合部４３はネック差込み溝２３と合致するように谷形状連結部４１と一部分が板状になった山形状連結部４２とを形成する。
【００６８】
図１１は、ネック接合部４３をネック差込み溝２３に嵌合する方法を示す図である。図１１（ａ）、（ｂ）、（ｃ）の順に従い、バック材１−Ｂに形成されたネック差込み溝２３とトップ材１−Ａに形成されたブリッジ６０との隙間にネック接合部４３を差込み、ブリッジ６０の下面を３１方向に滑らすようにネック本体３をボディ本体１の下端部３２までスライドさせた後、ネック本体３をボディ厚さ方向に押し付けて嵌合させる。
【００６９】
図１２は、ネックエンド中段面５１とブリッジ６０の下面との間に長方形の隙間を木片３５で塞ぐ構成を示す図である。図１２（ａ）に示すように、山形状連結部４２の表面に開けられた所定数のネジ穴３８の上部から座金４７と連結ネジ４８で固定する。またネック本体３をボディ本体１のネック差込み溝２３に嵌合した時に、ネックエンド中段面５１とトップ材１−Ａのブリッジ６０の下面との間に長方形の隙間ができるが、この隙間と同じ形状と板厚の木片３５を隙間に差し込んで嵌合し、木片３５を固定することにより、ネック接合部分の強度や弦振動の共振特性が向上するため、伝達ロスが少なくなり楽器全体の音質等が向上する。
【００７０】
差し込んで嵌合しただけの木片３５の場合は、経年変化や弦振動等によりネックエンド中段面５１とトップ材１−Ａに形成したブリッジ６０の下面との隙間から木片３５が抜け出ることがあり、その処置として図１２（ａ）、（ｂ）に示す木片３５の前端面６１に所定数のネジ穴６２を穿孔させ、ネジ穴６２を介して連結ネジ６３をネックエンド５０方向にねじ込んで固定することで、経年変化や弦振動等による木片３５が抜け出てしまう事態に対応することができる。図１２（ｃ）は、ネック接合部４３をネック差込み溝２３に嵌合し連結ネジ４８で固定した状態の断面図である。
【００７１】
尚、ネックエンド中段面５１とトップ材１−Ａのブリッジ６０の下面との間に生じた長方形の隙間に、この隙間と同じ形状と板厚の木片３５を隙間に差し込んで嵌合しなくてもボディ本体１にネック本体３を固定することは可能である。
【００７２】
ボディ本体１とネック本体３は、取り外して別々に必要な部分を加工、形成、塗装、組込み等を施した後、組み上げることでソリッド型電気ギター２２の完成となる。
【００７３】
また、ネック差込み溝２３に形成されたフロントピックアップ形状１６の凹溝部４６は、フロントピックアップ１３を嵌合し固定することで、ネック接合部４３の山形状連結部４２の上面の所定数の座金４７と連結ネジ４８の頭部、及び嵌合された木片３５の前端面６１に穿孔した所定数のネジ穴６２と連結ネジ６３の頭部を隠す目隠し用部材としての役割もする。
【００７４】
また、上述した二層構造を持ったボディ本体１の構造には、ボディ本体１のトップ材１−Ａとバック材１−Ｂを貼り合せた内側の部分には、トップ材１−Ａとバック材１−Ｂを中空にくり抜いた構造やバック材１−Ｂだけ中空にくり抜いてトップ材１−Ａを貼り合せた構造を持ったエレクトロリック・アコースティックギターやセミホロー・ギター等と云われる構造を有した形状も本発明構造を使用して制作することが可能であり、更にボディ本体１は、一枚板や二層構造だけでなく、三層構造、四層構造など多層構造も可能であるため、本発明を限定するものではない。
【００７５】
尚、ボディ本体１となるトップ材１−Ａとバック材１−Ｂの材質は、木材や圧縮材、プラスチック等の樹脂、或いはセラミックや金属材料で作成することが可能であるため、本発明を限定するものではない。
【００７６】
また、本実施例では二層構造について構造を限定して記述しているが、何枚かの木材や樹脂等をサイド方向に並べて接着剤で接合して形成した一枚の木材や樹脂、或いは小さく切断された木材片を接着剤で貼り合わせて形成された板材で作成された二層構造、三層構造等の多層構造の木材、樹脂等で、本発明に係るソリッド型電気ギター２２のボディ本体１やネック本体３を作成することが可能であるため、本発明を限定するものではない。
【００７７】
以上のネック差込み溝に形成されたブリッジの構造を備えることで、外観上の美観と音質の向上も兼備えたネック取付け構造を持つソリッド型電気ギターを提供することができる。上述したボディ本体１の多層構造とネック差込み溝に形成されたブリッジの構造以外のソリッド型電気ギターの構成は、実施例１と同一であるため説明は省略する。
【実施例３】
【００７８】
ソリッド型電気ギター２２のネック取付け構造について、別の構成を説明する。ソリッド型電気ギター２２のボディ本体１の谷形状連結溝２５の底面は、ネック差込み溝２３とネック接合部４３の凹凸形状が正確に一致するよう形成されることで、山形状連結部４２で使用する連結ネジ４８の種類を簡素化したり、谷形状連結溝２５のボディ厚さ方向に開けた穿孔２８をボディ裏面まで貫通させて各所で定めた連結ネジとナットでボディ本体とネック本体を固定する構成、或いは連結ネジ４８を必要としない構成を実現できる。
【００７９】
図１３は、埋込みナット２９を使用しないネック取付け構造を示す図である。図１３（ａ）に示すように、ボディ本体１の谷形状連結溝２５の底面に穿孔される所定数の穿孔２８において、埋込みナット２９を使用しなくてもネック本体３のネック接合部４３をボディ本体１のネック差込み溝２３に嵌合し、図１３（ｂ）の断面図に示すように山形状連結部４２の表面に穿孔したネジ穴３８上部から、所定数の連結ネジ４８をボディ厚さ方向にねじ込んで固定することも可能である。図１３（ｃ）の断面図に示すように所定数の連結ネジ４８はボディ裏面５３には貫通はしていない。
【００８０】
図１４は、ネック接合部４３の山形状連結部４２の板状面４２−Ａの形状とネック差込み溝２３の谷形状連結溝２５の形状を矩形状に変更し、更に山形状連結部４２の裏面４２−Ｂに谷形状連結部４１との接合面４２−Ｃの中央部に凹型方形連結部を設け、ボディ本体１のネック差込み溝２３の谷形状連結溝２５と山形状連結溝２４との間に同一形状で凸型方形連結溝を設けたネック取付け構造を示す図である。図１４（ａ）、（ｂ）に示す凹凸形状が複雑な構成となるが、正確に加工することで強力な嵌合摩擦力を得られ接合強度を高めることができる。図１４（ｃ）は接合部の断面図である。
【００８１】
図１５は、山形状連結部４２の上面の板状面４２−Ａからねじ込まれる連結ネジ４８を必要としないネック取付け構造を示す図である。図１５（ａ）、（ｂ）に示すネック接合部４３とネック差込み溝２３の構成においては、木片３５をネックエンド中段面５１に接着剤で貼付けたり、木片３５の前端面６１に穿孔した所定数のネジ穴６２から所定数の連結ネジ６３で木片３５をネックエンド５０部分に固定する必要がない。図１５（ｃ）に示すネック接合部４３とネック差込み溝２３とを嵌合した際、ネックエンド中段面５１の高さがボディ本体１の表面２の高さと等しいネック接合部４３の凹凸部を製作し、ネック本体３のネック接合部４３とボディ本体１のネック差込み溝２３とが正確に一致するように形成して隙間無く嵌合することで十分な接合強度を得ることができる。
【００８２】
図１５（ｄ）は、ネック接合部４３とネック差込み溝２３との嵌合部の断面図である。上述したようにネック本体３のネック接合部４３とボディ本体１のネック差込み溝２３との嵌め合い構造が正確であれば、ネック差込み溝２３の底面に形成した谷形状連結溝２５の底面を連結ネジ４８で固定する必要がない。その結果、ボディ裏面５３の傾斜面５４に形成した所定数のネジ穴５６の上面から所定数のワッシャー５７を介して所定数の連結ネジ５８をボディ厚さ方向にねじ込んでネック本体３をボディ本体１に固定するネック取付け構造とすることが可能である。この場合、ボディ本体１に形成したネック差込み溝２３とネック本体３に形成したネック接合部４３との嵌合密着度は低下するが、ネック本体３のネック接合部４３の山形状連結部４２とボディ本体１のネック差込み溝２３の底面に形成した谷形状連結溝２５が長く連結され、且つボディ本体１のネック差込み溝２３にネック本体３のネック接合部４３を嵌合したことにより強力な嵌合摩擦力が発生し、ネック本体３をボディ本体１のネック差込み溝２３に嵌合しても弦を張った時の弦張力によりボディ本体１のネック差込み溝２３からネック本体３が抜けることはない。
【００８３】
また、ネック接合部４３とネック差込み溝２３の長さを、更に延長してリアピックアップ１４が嵌合されるリアピックアップ形状１７の凹溝部までカバーする長さに設定し、スルーネック構造に近いネック取付け構造を有することで、更に嵌合密着度と共振特性を向上させるデタッチャブルギター構造のソリッド型電気ギター２２を作成することも可能である。
【００８４】
図１６は、ネック接合部４３とネック差込み溝２３との嵌合部を貫通したネジ穴５６−Ａによるネック取付け構造を示す断面図である。
【００８５】
図１６（ａ）、（ｂ）に示すネック取付け構造の断面図では、ボディ本体１のネック差込み溝２３の底面に形成した谷形状連結溝２５には、所定数の穿孔した穿孔２８がボディ裏面５３まで貫通している。ボディ本体１のネック差込み溝２３の上面からネック本体３のネック接合部４３を嵌合した時には、ネック接合部４３の山形状連結部４２の上面の板状面４２−Ａに穿孔したネジ穴３８からボディ裏面５３まで貫通し、ボディ裏面５３の上面にネジ穴５６−Ａが形成されている。
【００８６】
ボディ裏面５３に形成されたネジ穴５６−Ａから、所定数のワッシャー５７を介して所定数の連結ネジ６４をボディ厚さ方向にねじ込むと山形状連結部４２の板状面４２−Ａから所定数の連結ネジ６４の螺旋柱が突き出し、この突き出した螺旋柱の上面から所定数の座金４７を介して所定数の連結ナット６５をねじ込んで固定することによりネック本体３のネック接合部４３をボディ本体１に固定する構造である。
【００８７】
図１６（ｃ）、（ｄ）に示すネック取付け構造では、ボディ本体１のネック差込み溝２３にネック本体３のネック接合部４３を嵌合した際に、ネック接合部４３の山形状連結部４２の板状面４２−Ａに穿孔したネジ穴３８の上面から所定数の座金４７を介して所定数の連結ネジ４８をボディ厚さ方向にねじ込むと、ボディ裏面５３に形成したネジ穴５６−Ａから螺旋柱が突き出し、この突き出した螺旋柱の上面からワッシャー５７を介して連結ナット６６を固定することによりネック本体３のネック接合部４３をボディ本体１に固定する構造である。
【００８８】
図１７は埋込みナットと連結ネジを併用した構成を示す断面図である。埋込みナット２９を貫通した穿孔２８であるネジ穴５６−Ａに埋込んで固着することにより、正確に連結ネジ６４を通す貫通穴としての役割と、経年変化や弦振動によるネジの緩みを防止する役割と、比重の重い埋込みナット２９をねじ込んだ固着位置や使用する個数によって音質、音量等の向上に繋がるネック取付け構造が可能である。
【００８９】
経年変化により、稀に連結ネジ４８及び連結ネジ６４等が緩むことが確認されているが、上述した図１〜図１５までのギター構造では、フロントピックアップ１３をフロントピックアップ形状１６の凹溝部４６から取外してから連結ネジ４８を締め直し、再度フロントピックアップ１３をフロントピックアップ形状１６の凹溝部４６に取付ける手順の締め直し作業となる。
【００９０】
しかし、図１６、図１７に示すネック取付け構造でソリッド型電気ギター２２を作成することで、仮に連結ネジが緩んだ場合でも、図１６（ａ）及び図１７（ａ）に示す板状面４２−Ａ方向からネジ込んだ連結ナット６５や、図１６（ｃ）に示すボディ裏面５３に形成したネジ穴５６−Ａの方向からねじ込んだ連結ナット６６が大幅に緩んでいなければ、フロントピックアップ形状１６の凹溝部４６からフロントピックアップ１３を取外さない状態で、ボディ裏面５３に形成したネジ穴５６−Ａから、連結ネジ６４或いは連結ナット６６を締め直すことが可能となるため、締め直し作業が簡単にできるネック取付け構造を具備するソリッド型電気ギター２２を提供することができる。
【００９１】
その他のソリッド型電気ギター２２の構成は、実施例１と同一であるため説明は省略する。尚、ネック差込み溝２３の底面に形成した谷形状連結溝２５の長さ、横幅、深さ、谷形状連結溝２５の前端部２５−Ａ、谷形状連結溝２５の後端部２５−Ｂの形状及びネック接合部４３に形成した山形状連結部４２の長さ、横幅、板厚、山形状連結部４２の前端部４２−Ｃ、山形状連結部４２の後端部４２−Ｄのそれぞれの形状について、設計上の変更が可能であり本発明を限定するものではない。
【００９２】
以上、気候の影響や経年変化等によるネック本体とボディ本体との接合部に生じる緩み等によって発生するセンターズレを防止して、ネック接合部をボディ本体のネック差込み溝に嵌合した後のメンテナンスが不要であり、且つボディ本体のネック差込み溝の底面に形成した山形状連結溝と谷形状連結溝とが合致するようにネック接合部の形状を形成し嵌合することで、必要最少限に定めた所定数のネジ穴から連結ネジで固定しても十分な結合強度を実現し、ネック本体とボディ本体とを確実に一体化することができる。
【００９３】
仮に連結ネジが緩んだ場合でも、締め直し作業が簡単にできるネック取付け構造を具備するソリッド型電気ギターを提供することができる。
【００９４】
ボディ本体のネック差込み溝裏面の構造は、傾斜面に止まらず様々な形状に加工することも可能であり、隙間無く嵌合されることで共振特性が向上し、弦振動、音質等も改善することができる。
【００９５】
また、ボディ本体とネック本体の裏面の接続形状が連続した形状を有することで、手の動きが制限されることなく移動可能となり、ネックヒール付近を把持している指で高音域の弦を押さえることができるため、高音域でのスムーズな演奏が可能になり、且つ外観上の美観も兼備えたネック取付け構造を持つソリッド型電気ギターを提供することができる。
【符号の説明】
【００９６】
１    ボディ本体
２    表面
３    ネック本体
４    弦
５    指板
６    フレット
７    ヘッド部
８    糸巻装置
９    ナット部
１０  カッタウェイ
１１  調整ツマミ
１３  フロントピックアップ
１４  リアピックアップ
１５  ピックアップ装置
１６  フロントピックアップ形状
１７  リアピックアップ形状
１８  トレモロ機構
１９  ブリッジプレート
２０  アーム
２１  アンプ出力ポート
２２  ソリッド型電気ギター
２３  ネック差込み溝
２４  山形状連結溝
２５  谷形連結溝
２８  穿孔
２９  埋込みナット
３５  木片
３９  エスカッション
４０  ネック裏面
４１  谷形状連結部
４２  山形状連結部
４３  ネック接合部
４６  凹溝部
４７  ワッシャー
４８  連結ネジ
５０  ネックエンド
５１  ネックエンド中段面
５２  化粧板プレート
５３  ボディ裏面
５４  傾斜面
５６  ネジ穴
５７  ワッシャー
５８  連結ネジ
６０  ブリッジ
６４  連結ネジ
６５  連結ナット
【図１】
2011150180.tif 000003
【図２】
2011150180.tif 000004
【図３】
2011150180.tif 000005
【図４】
2011150180.tif 000006
【図５】
2011150180.tif 000007
【図６】
2011150180.tif 000008
【図７】
2011150180.tif 000009
【図８】
2011150180.tif 000010
【図９】
2011150180.tif 000011
【図１０】
2011150180.tif 000012
【図１１】
2011150180.tif 000013
【図１２】
2011150180.tif 000014
【図１３】
2011150180.tif 000015
【図１４】
2011150180.tif 000016
【図１５】
2011150180.tif 000017
【図１６】
2011150180.tif 000018
【図１７】
2011150180.tif 000019
【図１８】
2011150180.tif 000020